(57)【要約】【課題】本発明の目的は、防滴性の向上を図った電子機器を得ることにある。【解決手段】電子機器１は、上壁７とこの上壁７の縁から延びる側部８ｂとを有する筐体６と、筐体６の上壁７に設けられる底面２５を有するとともにその底面２５の少なくとも一部が筐体６の側部８ｂまで延びるキーボード載置部１４と、キーボード載置部１４に載置されるキーボード１７とを具備する。【選択図】      図２
2008027137.tif 000002
【特許請求の範囲】
【請求項１】
上壁と、この上壁の縁から延びる側部とを有する筐体と、
上記筐体の上壁に設けられる底面を有するとともに、その底面の少なくとも一部が上記筐体の側部まで延びるキーボード載置部と、
上記キーボード載置部に載置されるキーボードと、
を具備することを特徴とする電子機器。
【請求項２】
請求項１に記載の電子機器において、
上記キーボードは、複数のキーと、この複数のキーが実装されるベースとを有し、上記キーボード載置部は、上記キーボードが載置される第１の領域と、この第１の領域と上記筐体の側部との間に形成される第２の領域とを有し、上記第２の領域の底面の高さは、上記第１の領域に載置された上記キーボードのベースの上面の高さと比べて同じ若しくは低いことを特徴とする電子機器。
【請求項３】
請求項２に記載の電子機器において、
上記キーボード載置部の第２の領域に載置されるとともに、少なくともその一部が上記第２の領域の底面との間に空隙を形成するフレーム部材を備えることを特徴とする電子機器。
【請求項４】
請求項３に記載の電子機器において、
上記キーボード載置部の底面は、上記キーボード載置部の両端部においてそれぞれ上記筐体の側部まで延びることを特徴とする電子機器。
【請求項５】
請求項４に記載の電子機器において、
上記筐体の上壁は、上記キーボード載置部の底面に連続する他の底面を有し、この他の底面は、上記キーボード載置部の縁から上記筐体の側部まで延び、この他の底面の高さは、上記キーボード載置部に載置された上記キーボードのベースの上面の高さと比べて同じ若しくは低いことを特徴とする電子機器。
【請求項６】
請求項５に記載の電子機器において、
表示ユニットと、
上記表示ユニットを上記筐体に回動可能に連結するヒンジ部と、を備え、
上記筐体の上壁は、上記表示ユニットに対向する隆起部と、この隆起部に形成されるとともに上記ヒンジ部が取り付けられる凹部とを有し、上記他の底面はこの凹部に形成されることを特徴とする電子機器。
【請求項７】
請求項６に記載の電子機器において、
上記筐体に収容される冷却ファンを備え、
上記キーボード載置部の底面が延びている上記筐体の側部には、上記冷却ファンに対向する排気孔が開口することを特徴とする電子機器。
【請求項８】
請求項７に記載の電子機器において、
上記筐体の上壁に取り付けられるとともに、上記キーボードの一端部を上記キーボード載置部に向けて押さえる第１のホルダと、
上記筐体の上壁に取り付けられるとともに、上記キーボードの他端部を上記キーボード載置部に向けて押さえる第２のホルダと、を備えることを特徴とする電子機器。
【請求項９】
請求項８に記載の電子機器において、
上記フレーム部材は、上記第２の領域の底面との間に上記空隙を形成する切欠きを有し、この切欠きは、上記キーボードのキーとキーとの間の隙間に対向する位置に形成されることを特徴とする電子機器。
【請求項１０】
請求項６に記載の電子機器において、
タッチパッドユニットと、
上記筐体に形成されるとともに、上記タッチパッドユニットが取り付けられるタッチパッド載置部と、を備え、
上記タッチパッド載置部は、上記キーボード載置部の底面に連続する底面を有し、このタッチパッド載置部の底面は、上記キーボード載置部の縁から上記筐体の側部まで延び、このタッチパッド載置部の底面の高さは、上記キーボード載置部に載置された上記キーボードのベースの上面の高さと比べて同じ若しくは低いことを特徴とする電子機器。
【請求項１１】
請求項６に記載の電子機器において、
上記筐体と別体に形成されるパームレスト部材と、
上記筐体に形成されるとともに、上記パームレスト部材が取り付けられるパームレスト載置部と、を備え、
上記パームレスト載置部は、上記キーボード載置部の底面に連続する底面を有し、このパームレスト載置部の底面は、上記キーボード載置部の縁から上記筐体の側部まで延び、このパームレスト載置部の底面の高さは、上記キーボード載置部に載置された上記キーボードのベースの上面の高さと比べて同じ若しくは低いことを特徴とする電子機器。
【請求項１２】
請求項１に記載の電子機器において、
上記キーボードの縁は、上記筐体の側部に達することを特徴とする電子機器。
【請求項１３】
上壁と、この上壁の縁から延びる側部とを有する筐体と、
上記筐体の上壁に形成される底面を有するキーボード載置部と、
上記キーボード載置部と上記筐体の側部との間に起立するとともに、上記キーボード載置部の底面の延伸方向に沿って孔が開口するフレーム部と、
上記キーボード載置部に載置されるキーボードと、
を具備することを特徴とする電子機器。
【請求項１４】
請求項１３に記載の電子機器において、
上記キーボードは、複数のキーと、この複数のキーが実装されるベースとを有し、上記フレーム部の孔の内周面の下端は、上記キーボード載置部に載置された上記キーボードのベースの上面の高さに比べて同じ若しくは低い位置に形成されることを特徴とする電子機器。
【請求項１５】
請求項１４に記載の電子機器において、
上記筐体の上壁は、上記キーボード載置部の底面に連続する他の底面を有し、この他の底面は、上記キーボード載置部の縁から上記筐体の側部まで延び、この他の底面の高さは、上記キーボード載置部に載置された上記キーボードのベースの上面の高さと比べて同じ若しくは低いことを特徴とする電子機器。
【請求項１６】
請求項１５に記載の電子機器において、
表示ユニットと、
上記表示ユニットを上記筐体に回動可能に連結するヒンジ部と、を備え、
上記筐体の上壁は、上記表示ユニットに対向する隆起部と、この隆起部に形成されるとともに上記ヒンジ部が取り付けられる凹部とを有し、上記他の底面はこの凹部に形成されることを特徴とする電子機器。
【請求項１７】
請求項１６に記載の電子機器において、
上記筐体に収容される冷却ファンを備え、
上記フレーム部の孔の下方に位置する上記筐体の側部には上記冷却ファンに対向する排気孔が開口することを特徴とする電子機器。
【請求項１８】
請求項１７に記載の電子機器において、
上記フレーム部の孔は、上記キーボードのキーとキーとの間の隙間に対向する位置に形成されることを特徴とする電子機器。
【発明の詳細な説明】
【技術分野】
【０００１】
本発明は、キーボード載置部を備える電子機器に係り、特にキーボード載置部回りの防滴構造に関する。
【背景技術】
【０００２】
例えばポータブルコンピュータのような電子機器は、筐体の上壁にキーボード載置部を備える。キーボード載置部は、通常、筐体の上壁に凹部状に形成される。このため例えば誤ってコーヒーや水のような液体を電子機器の上にこぼしてしまった場合、この液体がキーボード載置部に溜まるおそれがある。
【０００３】
そこで、キーボード載置部に排水手段を有するコンピュータが提供されている（例えば、特許文献１参照）。特許文献１に記載のコンピュータは、キーボードの基板に形成された第１排出ホールを有する。第１排出ホールの下方には、第２排出ホールを有するガイドチャネルが設けられている。さらに、第２排出ホールの下方には、コンピュータの外部に開口する第３の排出ホールが設けられている。
【特許文献１】特開２００３−１２２４５４号公報
【発明の開示】
【発明が解決しようとする課題】
【０００４】
例えば、特許文献１に記載されている排水手段は、筐体に排水用の複数の排出ホールを形成している。この排出ホールは筐体の内部を通過しているため、排出ホールから筐体内に液体が漏れるおそれがある。
【０００５】
本発明の目的は、防滴性の向上を図った電子機器を得ることにある。
【課題を解決するための手段】
【０００６】
上記目的を達成するため、本発明の一つの形態に係る電子機器は、上壁とこの上壁の縁から延びる側部とを有する筐体と、筐体の上壁に設けられる底面を有するとともにその底面の少なくとも一部が筐体の側部まで延びるキーボード載置部と、キーボード載置部に載置されるキーボードとを具備する。
【発明の効果】
【０００７】
この構成によれば、キーボードの上にこぼされた液体が筐体内を通らずに排出されるので、電子機器の防滴性が向上する。
【発明を実施するための最良の形態】
【０００８】
以下に本発明の実施の形態を、ポータブルコンピュータに適用した図面に基づいて説明する。  
図１ないし図１３は、本発明の第１の実施形態に係る電子機器としてのポータブルコンピュータ１を開示している。図１に示すように、ポータブルコンピュータ１は、本体２と表示ユニット３とを備えている。
【０００９】
本体２は、筐体ベース４と筐体カバー５とを備える。筐体カバー５は、筐体ベース４に上方から組み合わされる。筐体ベース４と筐体カバー５とが協働することで、本体２は箱状に形成された筐体６を有する。筐体６は、上壁７、周壁８、および下壁９を有する。周壁８は、上壁７の前縁から延びる前側壁部８ａ、上壁７の左縁から延びる左側壁部８ｂ、上壁７の右縁から延びる右側壁部８ｃ、および上壁７の後縁から延びる後側壁部８ｄを有する。
【００１０】
ここで、前側壁部８ａ、左側壁部８ｂ、右側壁部８ｃ、および後側壁部８ｄはそれぞれ本発明でいう側部の一例である。なお側部は例えば平らな面を有しなくても良い。側部は例えば屈曲した側壁部であっても良い。
【００１１】
表示ユニット３は、ディスプレイハウジング１０と、このディスプレイハウジング１０に収容された液晶表示パネル１１とを備える。液晶表示パネル１１は、表示画面１１ａを有する。表示画面１１ａは、ディスプレイハウジング１０の前面の開口部１０ａを通じて、筐体６の外部に露出している。  
表示ユニット３は、一対のヒンジ部１２ａ，１２ｂを介して筐体６の後端部に回動可能に支持されている。そのため、表示ユニット３は、上壁７を上方から覆うように倒される閉じ位置と、上壁７を露出させるように起立する開き位置との間で回動可能である。
【００１２】
図２に示すように、筐体６の上壁７には、後端部側から順に、隆起部１３、キーボード載置部１４、並びにタッチパッド部１５および一対のパームレスト部１６ａ，１６ｂが設けられている。キーボード載置部１４にはキーボード１７が載置される。キーボード載置部１４は、キーボード１７を下方から支持する。
【００１３】
キーボード１７は、ベース２１と、このベース２１に実装された複数のキー２２と、配線および電気接点などを有する配線部材（図示しない）とを有する。この配線部材には、例えばＦＦＣ（Flexible flat cable）２３が電気的に接続されている。なおベース２１の一例は、板金部材と、この板金部材に重ねられるとともにキー２２の支持機構が取り付けられるプレート部材とを含む。
【００１４】
まず、図２を参照してキーボード載置部１４について詳しく説明する。  
キーボード載置部１４は、筐体６の上壁７の左縁から右縁に亘って設けられている。キーボード載置部１４は、上壁７に設けられた底面２５を有する。底面２５は、上壁７の中央部から筐体６の左側壁部８ｂまで延びるとともに、筐体６の右側壁部８ｃまで延びている。すなわちキーボード載置部１４の底面２５は、筐体６の上壁７の左縁から右縁に亘って形成されている。換言すれば、底面２５は、キーボード載置部１４の長手方向の両端部において筐体６の側壁部８ｂ，８ｃまで延びている。
【００１５】
図２に示すように、キーボード載置部１４は、第１の領域１４ａと第２の領域１４ｂとを有する。第１の領域１４ａは、キーボード載置部１４の中央部に形成される。第１の領域１４ａは、キーボード１７が載置され、キーボード１７の下面に対向する。第２の領域１４ｂは、第１の領域１４ａと筐体６の左側壁部８ｂとの間、および第１の領域１４ａと筐体６の右側壁部８ｃとの間に形成される。キーボード載置部１４の底面２５は、第１の領域１４ａ内に位置する底面２５ａと、第２の領域１４ｂ内に位置する底面２５ｂとを有する。
【００１６】
図７に示すように、本実施形態に係るキーボード載置部１４の場合、第２の領域１４ｂの底面２５ｂは、第１の領域１４ａの底面２５ａと同一面上に位置している。すなわち第２の領域１４ｂの底面２５ｂの高さは、第１の領域１４ａの底面２５ａの高さと同じである。換言すれば、第２の領域１４ｂの底面２５ｂの高さは、第１の領域１４ａに載置されたキーボード１７のベース２１の上面２１ａの高さに比べて低い。なお本明細書でいう「高さ」とは、ポータブルコンピュータ１を例えば机の上のような設置面Ｆに置いた場合に、その設置面Ｆからの上方を向いた距離をいう。
【００１７】
図２に示すように、第２の領域１４ｂには、例えば複数の第１の係合部３１が設けられている。第１の係合部３１は、キーボード載置部１４の底面２５から上方を向いて突出した例えば円柱状の突起である。第１の係合部３１には、筐体６内に開口する第１の係合孔３１ａが形成されている。
【００１８】
図２に示すように、キーボード載置部１４より手前には、タッチパッド部１５とパームレスト部１６ａ，１６ｂとが形成されている。タッチパッド部１５は、筐体６の長手方向の中央部に設けられている。図９に示すように、タッチパッド部１５は、タッチパッド載置部３２、タッチパッドユニット３３、タッチパッドカバー３４とを有する。
【００１９】
タッチパッド載置部３２は、筐体６の上壁７に形成されている。タッチパッド載置部３２には、タッチパッドユニット３３が取り付けられる。タッチパッドカバー３４は、タッチパッドユニット３３を覆うようにしてタッチパッド載置部３２に取り付けられる。タッチパッドユニット３３は、タッチパッドカバー３４の開口部３４ａを通じて外部に露出される。
【００２０】
図２に示すように、パームレスト部１６ａ，１６ｂは、タッチパッド部１５を挟むようにその左右に設けられている。本実施形態に係るパームレスト部１６ａ，１６ｂは、筐体６の上壁７と一体に形成されている。パームレスト部１６ａ，１６ｂは、キーボード載置部１４に比べて筐体６の上方に隆起している。
【００２１】
キーボード載置部１４とパームレスト部１６ａ，１６ｂとの間には、第１のホルダ載置部３６が設けられている。第１のホルダ載置部３６は、筐体６の長手方向に沿って延びている。第１のホルダ載置部３６は、パームレスト部１６ａ，１６ｂの縁からキーボード載置部１４の底面２５に向かって傾斜している。第１のホルダ載置部３６には、例えば複数の第２の係合部３７が設けられている。第２の係合部３７には、筐体６内に開口する第２の係合孔３７ａが形成されている。
【００２２】
図３に示すように、筐体上壁７には、左右フレーム部材４１ａ、４１ｂおよびキーボードホルダ４３が取り付けられる。なお左右フレーム部材４１ａ、４１ｂは互いに略同じ構成を有する。そこでここでは左フレーム部材４１ａについて詳しく説明し、右フレーム部材４１ｂについては同じ機能を有する構成に同一の符号を付してその説明を省略する。
【００２３】
図４に示すように、左フレーム部材４１ａ（以下、単にフレーム部材４１ａと略）は、互いに直交する方向に沿って別々に延びる第１の部分４５と第２の部分４６とを有する。第１の部分４５は、本発明でいうフレーム部材の本体部の一例である。第２の部分４６は、キーボード１７を固定するホルダの一例である。
【００２４】
図３に示すように、フレーム部材４１ａを筐体上壁７に取り付けると、第１の部分４５はキーボード載置部１４の第２の領域１４ｂに載置され、第２の部分４６は第１のホルダ載置部３６に載置される。第１の部分４５は、キーボード載置部１４の第２の領域１４ｂと略同じ外形を有する。第２の部分４６は、第１のホルダ載置部３６の外形と略同じ外形を有する。
【００２５】
図４に示すように、第１の部分４５は、天井壁部５１、第１の側壁部５２、および第２の側壁部５３を有する。図７に示すように、フレーム部材４１ａが筐体上壁７に取り付けられたとき、天井壁部５１は、第２の領域１４ｂに上方から対向するとともに、第２の領域１４ｂの底面２５ｂとの間に空隙を空ける。第１の側壁部５２は、キーボード１７に臨む天井壁部５１の縁部から筐体６を向いて延びるとともに、第２の領域１４ｂの底面２５ｂに当接する。第２の側壁部５３は、筐体６の外方に臨む天井壁部５１の縁部から筐体６を向いて延びるとともに、第２の領域１４ｂの底面２５ｂに当接する。
【００２６】
図４ないし図７に示すように、第１の側壁部５２には、例えば複数の切欠き５２ａが形成されている。切欠き５２ａは、第１の側壁部５２の下端部を凹状に切り欠く。フレーム部材４１ａを筐体上壁７に取り付けると、この切欠き５２ａがキーボード載置部１４の底面２５との間に空隙を形成する。図５に示すように、第１の側壁部５２の切欠き５２ａは、例えばキーボード１７のキー２２とキー２２との間の隙間に対向する位置に形成される。ただし全ての切欠き５２ａがキー２２とキー２２との間の隙間に対向する位置に形成されなくても良い。
【００２７】
第２の側壁部５３には、例えば複数の切欠き５３ａが形成されている。切欠き５３ａは、第２の側壁部５３の下端部を凹状に切り欠く。フレーム部材４１ａを筐体上壁７に取り付けると、この切欠き５３ａがキーボード載置部１４の底面２５との間に空隙を形成する。図５および図７に示すように、キーボード載置部１４は、第１の側壁部５２の切欠き５２ａおよび第２の側壁部５３の切欠き５３ａを通じて筐体６の側方に連通する。したがって、キーボード載置部１４の第２の領域１４ｂには、キーボード載置部１４の底面２５と同じ高さを保ちながら筐体６の左側壁部８ｂまで延びる導水部が形成されているといえる。
【００２８】
図５に示すように、第２の側壁部５３の切欠き５３ａは、第１の側壁部５２の切欠き５２ａに対向する領域を外れて形成される。すなわち第２の側壁部５３の切欠き５３ａは、第１の側壁部５２の切欠き５２ａに対してオフセットした位置に形成される。
【００２９】
図４に示すように、フレーム部材４１ａの第１の部分４５の天井壁部５１からは、複数の係合突起５５が下方を向いて突出している。図７に示すように、係合突起５５は、第２の領域１４ｂに設けられた第１の係合部３１の第１の係合孔３１ａに挿通される。第１の係合孔３１ａに挿通された係合突起５５の先端は、筐体６の内部で筐体６に溶着される。これにより第１の部分４５が筐体６に対して固定される。
【００３０】
第２の部分４６は、傾斜して延びる第１のホルダ載置部３６に沿うように、第１の部分４５に対して傾斜して延びている。第２の部分４６からは、複数の係合突起５６が下方を向いて突出している。図１０に示すように、係合突起５６は、第１のホルダ載置部３６に設けられた第２の係合部３７の第２の係合孔３７ａに挿通される。第２の係合孔３７ａに挿通された係合突起５６の先端は、筐体６の内部で筐体６に溶着される。これにより第２の部分４６が筐体６に対して固定される。
【００３１】
図２および図１０に示すように、第１のホルダ載置部３６に隣り合うキーボード載置部１４の縁部には、例えば複数の第１の窪み部５８が形成されている。キーボード１７の前端部には、第１の窪み部５８に対応する部位に第１の爪部５９が形成されている。図１０に示すように、第１の爪部５９は、第１の窪み部５８を利用して筐体上壁７とフレーム部材４１ａ，４１ｂの第２の部分４６との間に挿入される。フレーム部材４１ａ，４１ｂの第２の部分４６は、キーボード１７の第１の爪部５９をキーボード載置部１４に向けて押さえる。
【００３２】
図８に右フレーム部材４１ｂを示す。右フレーム部材４１ｂも左フレーム部材４１ａと同様に、第１および第２の部分４５，４６を有する。したがってポータブルコンピュータ１は、キーボード載置部１４の右端部にも、キーボード載置部１４の底面２５と同じ高さを保ちながら筐体６の右側壁部８ｃまで延びる導水部が形成されているといえる。
【００３３】
なお本実施形態に係る左右フレーム部材４１ａ、４１ｂは、第１および第２の部分４５，４６が一体成形されているが、第１および第２の部分４５，４６は別体に形成されても良い。本実施形態に係るフレーム部材４１ａ、４１ｂのように、第１および第２の部分４５，４６を一体に成形するとポータブルコンピュータ１の組立性が向上する。
【００３４】
図６に示すように、筐体６の左側壁部８ｂには、排気孔６１が開口している。排気孔６１は、第２の側壁部５３に形成された切欠き５３ａの下方に位置している。図７に示すように、筐体６の下壁９には吸気孔６２が開口している。さらに筐体６は、冷却ファン６３を収容している。冷却ファン６３は、筐体６内の空気を取り込む吸気口６３ａと、取り込んだ空気を吐出する排気口６３ｂとを有する。冷却ファン６３の排気口６３ｂは、筐体６に開口した排気孔６１に対向している。
【００３５】
一方、図２に示すように、筐体上壁７の後端部には隆起部１３が形成されている。隆起部１３は、筐体上壁７から上方を向いて隆起するとともに、表示ユニット３に対向している。隆起部１３は、筐体６の長手方向に沿って延びている。隆起部１３には、一対の第１の凹部６５ａ，６５ｂが形成されている。凹部６５ａ，６５ｂは、隆起部１３を切り欠いている。
【００３６】
図１に示すように、ディスプレイハウジング１０の下端部からは、一対の脚部６６ａ，６６ｂが筐体６を向いて突出している。脚部６６ａ，６６ｂは、ヒンジ部１２ａ，１２ｂの一部である。脚部６６ａ，６６ｂは、隆起部１３に形成された第１の凹部６５ａ，６５ｂに取り付けられる。ヒンジ部１２ａ，１２ｂは、それぞれヒンジ軸を含むヒンジ装置６７を有する。ヒンジ装置６７は、表示ユニット３の脚部６６ａ，６６ｂと筐体６の隆起部１３との間に亘って設けられ、表示ユニット３を筐体６に回動可能に連結する。
【００３７】
図２に示すように、キーボード載置部１４と隆起部１３と間には、第２のホルダ載置部７１が形成されている。第２のホルダ載置部７１は、キーボード載置部１４に対して隆起している。第２のホルダ載置部７１には、それぞれ複数の第２の窪み部７２と第３の係合部７３とが設けられている。第２の窪み部７２は、第２のホルダ載置部７１の前縁から筐体６の後方を向いて窪んでいる。
【００３８】
第２の窪み部７２に対応するキーボード１７の後端部の部位には、第２の爪部７４が形成されている。キーボード１７は、第２の爪部７４を第２の窪み部７２に合わせるようにしてキーボード載置部１４に載置される。図１０に示すように、キーボードホルダ４３は、第２のホルダ載置部７１の上面に対向する上壁部７６と、上壁部７６の縁からキーボード載置部１４を向いて延びる立壁部７７と、第３の係合部７３に係合する係合突起７８（図３参照）とを有する。
【００３９】
キーボードホルダ４３を第２のホルダ載置部７１に載置すると、係合突起７８が第３の係合部７３に係合され、キーボードホルダ４３が筐体６に対して固定される。キーボードホルダ４３を第２のホルダ載置部７１に載置すると、キーボードホルダ４３の立壁部７７の下端がキーボード１７の第２の爪部７４に上方から当接する。これにより、キーボードホルダ４３は、キーボード１７の後端部をキーボード載置部１４に向けて押さえる。以上のように、キーボード１７は、左右フレーム部材４１ａ、４１ｂの第２の部分４６とキーボードホルダ４３とによりキーボード載置部１４に保持される。
【００４０】
図２に示すように、第２のホルダ載置部７１は、隆起部１３の第１の凹部６５ａ，６５ｂに隣り合う領域に第２の凹部８１ａ，８１ｂを有する。凹部８１ａ，８１ｂは、第２のホルダ載置部７１を切り欠いている。図１１に示すように、ヒンジ部１２ａ，１２ｂの下方に位置する筐体６の後端部には、筐体カバー５を筐体ベース４に繋げるヒンジキャップ８２が取り付けられている。ヒンジキャップ８２は、筐体カバー５の端部に下方から重なるとともに、筐体６の上壁７の一部を形成する。
【００４１】
図２に示すように、第１の凹部６５ａ，６５ｂ、第２の凹部８１ａ，８１ｂ、およびヒンジキャップ８２により形成される筐体上壁７の一部が協働することで、筐体上壁７には、後端凹部８４ａ，８４ｂが形成されている。図５に筐体６の左端部に形成された後端凹部８４ａを代表して示す。なお右方の後端凹部８４ｂも同様の構成を有する。
【００４２】
後端凹部８４ａ，８４ｂは、底面８６と、底面８６の周縁から起立する起立壁８７とを有する。後端凹部８４ａ，８４ｂは、キーボード載置部１４に臨む縁部が開放されている。このため、後端凹部８４ａ，８４ｂの底面８６は、キーボード載置部１４の底面２５と連続している。後端凹部８４ａ，８４ｂの底面８６は、キーボード載置部１４の長手方向に直交する方向に沿って、キーボード載置部１４の底面２５と繋がっている。さらに後端凹部８４ａ，８４ｂは、筐体後方に臨む起立壁８７にその一部を切り欠く切欠部８７ａを有する。
【００４３】
図１１に示すように、後端凹部８４ａ，８４ｂの底面８６は、キーボード載置部１４の後縁から延びる第１の底面領域８６ａ、ヒンジ部１２ａ，１２ｂの前半部の下方に位置する第２の底面領域８６ｂ、およびヒンジキャップ８２により形成される第３の底面領域８６ｃを有する。図５に示すように、第１の底面領域８６ａはキーボード載置部１４のなかに一部延びている。図１１に示すように、第１の底面領域８６ａはキーボード載置部１４の底面２５に比べてわずかに下方に位置している。
【００４４】
第２および第３の底面領域８６ｂ，８６ｃは、第１の底面領域８６ａに比べて順に低くなっている。すなわち、後端凹部８４ａ，８４ｂの底面８６の高さは、キーボード載置部１４に載置されたキーボード１７のベース２１の上面２１ａの高さに比べて低く形成されている。後端凹部８４ａ，８４ｂの底面８６の後端縁は、筐体６の後側壁部８ｄまで延びている。後端凹部８４ａ，８４ｂの切欠部８７ａの側縁からは、筐体６の後側壁部８ｄを向いてリブ８８が延びている。
【００４５】
図３および図１１に示すように、キーボードホルダ４３は、後端凹部８４ａ，８４ｂに対応する領域に切欠き４３ａを有する。キーボードホルダ４３を第２のホルダ載置部７１に取り付けると、この切欠き４３ａがキーボード載置部１４の底面２５との間に空隙を形成する。図１１に示すように、キーボード載置部１４は、キーボードホルダ４３の切欠き４３ａおよび後端凹部８４ａ，８４ｂを通じて筐体６の側方（さらに言えば側方の一つである後方）に連通する。したがって、後端凹部８４ａ，８４ｂにより、キーボード載置部１４の底面２５から筐体６の後側壁部８ｄまで延びる導水部が形成されているといえる。
【００４６】
図２に示すように、キーボード載置部１４には、第１および第２の開口部９１，９２が筐体６内に開口している。図９に示すように、タッチパッドユニット３３のＦＦＣ９４は、この第１の開口部９１を通じて筐体６内に延びている。筐体６は、メイン回路基板９５を収容している。ＦＦＣ９４は、メイン回路基板９５に電気的に接続される。第１の開口部９１は、第１の蓋９６により塞がれる。第１の蓋９６の一例は板金部材である。
【００４７】
第１の蓋９６と筐体６との間には、シーリング部材９７が介在される。シーリング部材９７の例としては、両面テープやスポンジゴムなどが挙げられる。シーリング部材９７は、第１の開口部９１を取り囲む閉ループ状に形成される。第１の開口部９１回りは、シーリング部材９７により液密に形成される。なおシーリング部材９７は、ＦＦＣ９４と第１の蓋９６との間に設けられても良いし、筐体６とＦＦＣ９４との間に設けられても良い。さらにＦＦＣ９４の上下にそれぞれシーリング部材９７を設けても良い。
【００４８】
図２に示すように、第２の開口部９２は、第２の蓋９８により塞がれる。第２の蓋９８の一例は板金部材である。詳しくは図示しないが、キーボード１７のＦＦＣ２３は、第２の開口部９２を通じて筐体６内に延びるとともに、メイン回路基板９５に電気的に接続される。第２の開口部９２回りは、閉ループ状に形成されたシーリング部材９７により液密に形成される。
【００４９】
次に、ポータブルコンピュータ１の組立てについて説明する。  
まず、左右フレーム部材４１ａ、４１ｂを筐体上壁７に取り付ける。具体的には、フレーム部材４１ａ、４１ｂの第１の部分４５の係合突起５５を第１の係合部３１の係合孔３１ａに挿通させるとともに、第２の部分４６の係合突起５６を第２の係合部３７の係合孔３７ａに挿通させる。こうして各係合突起５５，５６を係合孔３１ａ，３７ａに挿通させた後、各係合突起５５，５６を筐体６の内部に溶着する。こうしてフレーム部材４１ａ、４１ｂが筐体６に取り付けられる。
【００５０】
フレーム部材４１ａ、４１ｂを筐体６に取り付ける前、またはフレーム部材４１ａ、４１ｂを筐体６に取り付けた後に、タッチパッド部１５を組み立てる。具体的には、タッチパッドユニット３３のＦＦＣ９４を第１の開口部９１を通じて筐体６内に挿入し、第１の蓋９６で第１の開口部９１を塞ぐ。シーリング部材９７が第１の蓋９６と筐体６との間に介在することで、第１の開口部９１回りは液密に形成される。
【００５１】
フレーム部材４１ａ、４１ｂを筐体６に取り付けた後、キーボード１７をキーボード載置部１４に載置する。具体的には、キーボード１７のＦＦＣ２３を第２の開口部９２を通じて筐体６内に挿入し、第２の蓋９８で第２の開口部９２を塞ぐ。シーリング部材９７が第２の蓋９８と筐体６との間に介在することで、第２の開口部９２回りは液密に形成される。その後、キーボード１７の第１の爪部５９を第１の窪み部５８に挿入することで、第１の爪部５９をフレーム部材４１ａ、４１ｂと筐体上壁７との間に位置させる。これによりキーボード１７の前端部がフレーム部材４１ａ、４１ｂにより上方から支持される。
【００５２】
第１の爪部５９をフレーム部材４１ａ、４１ｂの下方に挿入した後、第２の爪部７４を第２の窪み部７２に合わせるようにして、キーボード１７をキーボード載置部１４に載置する。キーボード１７をキーボード載置部１４に載置した後に、キーボードホルダ４３を第２のホルダ載置部７１に取り付ける。これにより、キーボード１７の後端部がキーボードホルダ４３の立壁部７７により上方から支持される。以上によりキーボード１７がキーボード載置部１４に固定される。
【００５３】
次に、ポータブルコンピュータ１の作用について説明する。  
図１２は、本実施形態に係るポータブルコンピュータ１の作用を模式的に示す図である。例えば誤ってコーヒーや水のような液体をポータブルコンピュータ１の上にこぼしてしまった場合、こぼされた液体はキーボード１７の上に降りかかる。図１３に示すように、キーボード１７に降りかかった液体は、キーボード１７のベース２１の上を流れる。
【００５４】
キーボード１７のベース２１の上を流れる液体の一部は、キーボード１７を外れてキーボード載置部１４の第２の領域１４ｂに流れ込む。ここでキーボード載置部１４の底面２５は、筐体６の左縁および右縁まで延びている。さらに左右フレーム部材４１ａ、４１ｂは、キーボード載置部１４の底面２５との間に流路として機能する空隙を形成している。第２の領域１４ｂに流れ込んだ液体は、フレーム部材４１ａ、４１ｂに形成された溝を通じて筐体６の側方へと排出される。
【００５５】
図１２に示すように、キーボード１７のベース２１の上を流れる液体の一部は、キーボードホルダ４３の切欠き４３ａを通って後端凹部８４ａ，８４ｂに流れ込む。後端凹部８４ａ，８４ｂに流れ込んだ液体は、後端凹部８４ａ，８４ｂの起立壁８７とリブ８８とに案内されるととも後端凹部８４ａ，８４ｂの底面８６とヒンジ部１２ａ，１２ｂとの間の隙間を通って筐体６の後方へと排出される。
【００５６】
このような構成のポータブルコンピュータ１によれば、防滴性の向上を図ることができる。すなわち、キーボード載置部１４の底面２５が側壁部８ｂ，８ｃまで延びていると、キーボード１７の上にこぼされた液体は、キーボード載置部１４に溜まることなく、上壁７の縁から筐体６の側方へと排出される。すなわち本実施形態に係るポータブルコンピュータ１によれば、キーボード載置部から筐体内を通過して筐体の下方に延びるダクトなどが必要無い。キーボード載置部１４にこぼされた液体は、筐体６内を通過することなく、筐体６の上壁７から筐体６の側方へと排出される。したがって液体が筐体６内で漏れる可能性がほとんど無く、ポータブルコンピュータ１の防滴性が向上する。
【００５７】
さらに本実施形態に係るポータブルコンピュータ１によれば、上記ダクトのような排水機構を設ける必要が無いので、筐体６内のスペースを有効に利用することができる。これはポータブルコンピュータ１の小型化および設計の自由度の向上に寄与する。さらに上記ダクトのような機構を設ける必要が無いと、筐体６の構造を単純化することができる。これはポータブルコンピュータ１のコストダウンに寄与する。
【００５８】
キーボード載置部１４の第２の領域１４ｂの高さがキーボード１７のベース２１の上面２１ａの高さに比べて低いと、ベース２１の上にこぼされた液体が自然と筐体６の側方に排出される。すなわちこぼされた液体がキーボード載置部１４に溜まりにくく、短時間の間に液体の排出が完了しやすい。したがってポータブルコンピュータ１が乾燥するまでの時間を短縮することができ、短時間での再使用が可能となる。
【００５９】
第２の領域１４ｂにフレーム部材４１ａ，４１ｂが取り付けられると、キーボード１７、パームレスト部１６ａ，１６ｂ、タッチパッド部１５およびフレーム部材４１ａ、４１ｂなどで形成される本体２の上面の高さが略同じに揃う。これはポータブルコンピュータ１の見栄えを向上させる。すなわち、化粧部材として機能するフレーム部材４１ａ、４１ｂを取り付けることで、ポータブルコンピュータ１の見栄えを良くすることができる。
【００６０】
このフレーム部材４１ａ、４１ｂは、キーボード載置部１４の底面２５との間に流路として機能する空隙を形成する。したがって、例えフレーム部材４１ａ、４１ｂをキーボード載置部１４に取り付けたとしても、キーボード載置部１４の底面２５を流れる液体は上記空隙を通じて筐体６の側方まで達することができる。すなわちフレーム部材４１ａ、４１ｂは、ポータブルコンピュータ１の液体の排出性をほとんど損なわない。
【００６１】
キーボード載置部１４の底面２５は、少なくとも側壁部８ａ，８ｂ，８ｃ，８ｄのいずれか一つまで延びていれば良い。本実施形態に係るキーボード載置部１４の底面２５は、キーボード載置部１４の長手方向の両端部に対応する左右側壁部８ｂ，８ｃまで延びている。このようにキーボード載置部１４の底面２５が、キーボード載置部１４の中央部から複数の異なる側壁部８ｂ，８ｃまで延びていると、こぼされた液体の排出経路が多様化し、液体の排出性がさらに向上する。
【００６２】
キーボード載置部１４の長手方向に直交する方向に沿って、キーボード載置部１４の底面２５に連続するとともに筐体６の側壁部８ｄまで延びる他の底面８６を有すると、こぼされた液体の排出経路がさらに多様化する。すなわち本実施形態の場合、キーボード１７の左右および後方の三方向に液体を排出可能であるので、液体の排出性がさらに向上する。
【００６３】
さらに上記他の底面８６の高さがキーボード１７のベース２１の上面２１ａの高さと同じか若しくは低いと、ベース２１の上にこぼされた液体が自然と筐体６の側方に排出されるので、液体の排出性がさらに向上する。
【００６４】
本実施形態に係る上記他の底面８６は、ヒンジ部１２ａ，１２ｂが取り付けられる凹部６５ａ，６５ｂに形成されている。この凹部６５ａ，６５ｂは、ヒンジ部１２ａ，１２ｂが取り付けられるために凹んで形成される部位であり、この部位を利用することで隆起部１３に特別に切欠きや溝部などを設けることなく、上記他の底面８６の高さを容易にキーボード１７のベース２１の上面２１ａの高さと同じか若しくは低く設定することができる。
【００６５】
近年のポータブルコンピュータは、外気を筐体内部に取り込むための吸気孔を筐体の下壁に有することが多い。例えばキーボード載置部に溜まった液体を例えばダクトなどを通じて筐体の下方に排出した場合、この筐体の下方に排出された液体が冷却ファンの吸気に伴なって吸気孔から筐体内に浸入するおそれがある。
【００６６】
一方、本実施形態に係るポータブルコンピュータ１においては、キーボード載置部１４の液体は、筐体６の側方に排出される。したがって筐体６の下壁９に開口する吸気孔６２から液体が筐体６内に浸入するおそれが小さい。これはポータブルコンピュータ１の防滴性の向上に寄与する。
【００６７】
筐体６の側壁部８ｂに排気孔６１が開口していると、冷却ファン６３から吐出された空気が排気孔６１を通じて筐体６の外部に排気される。図１３に示すように、筐体６の側方に排出されようとする液体は、排気孔６１から排気される空気に煽られ、筐体６から遠くへと排出される。これは筐体６に開口する排気孔６１または吸気孔６２から液体が筐体６内に浸入するおそれをさらに小さくする。
【００６８】
キーボード１７の前端部と後端部とがフレーム部材４１ａ、４１ｂとキーボードホルダ４３とにより筐体６に固定されると、キーボード１７の左右側端部を固定しなくても良い。すなわちキーボード１７の左右側方に、キーボード１７を固定するための係合穴や窪み部を形成しなくても良い。これら係合穴などを省略できると、キーボード載置部１４の底面２５をさらに平らに形成することができ、液体の排出性をさらに向上させることができる。
【００６９】
左右フレーム部材４１ａ、４１ｂの第１の側壁部５２の切欠き５２ａがキーボード１７のキー２２とキー２２との間の隙間に対向すると、液体の排出性が向上する。すなわち、キーボード１７の上にこぼされた液体は、キー２２とキー２２との間を毛細管現象の原理で流れる。したがって切欠き５２ａがキー２２とキー２２との間の隙間に対向する位置に形成されていると、キー２２とキー２２との間を流れてフレーム部材４１ａ、４１ｂに達した液体が切欠き５２ａからフレーム部材４１ａ、４１ｂの下方にそのまま流れ込む。これは液体の排出性を向上させる。
【００７０】
左右フレーム部材４１ａ、４１ｂの第１の側壁部５２の切欠き５２ａと第２の側壁部５３の切欠き５３ａとが互いにオフセットした位置に形成されると、ユーザーが筐体６の側面を眺めた場合にキーボード１７がユーザーの目に入らない。これはポータブルコンピュータ１の見栄えの向上に寄与する。フレーム部材４１ａ、４１ｂの下端部に切欠き５２ａ，５３ａを設けると、本体２を上方から眺めた場合に、切欠き５２ａ，５３ａが目立たないのでポータブルコンピュータ１の見栄えが向上する。
【００７１】
例えば後端凹部８４ａ，８４ｂにリブ８８が設けられていると、後端凹部８４ａ，８４ｂを流れる液体に方向性が与えられる。図５に示すように、例えば筐体６の後側壁部８ｄに機能部品９９が設けられている場合、後端凹部８４ａ，８４ｂを流れる液体にこの機能部品９９を避けるように流れの方向性を与えることができる。これはポータブルコンピュータ１の防滴性の向上に寄与する。機能部品９９の一例はコネクタである。
【００７２】
なお、図１４に本実施形態に係るポータブルコンピュータ１の変形例を示す。図１４に示すように、キーボード載置部１４の第２の領域１４ｂの底面２５ｂの高さを、第１の領域１４ａに載置されたキーボード１７のベース２１の上面２１ａの高さと同じに形成しても良い。すなわち、第２の領域１４ｂの底面２５ｂが第１の領域１４ａの底面２５ａに比べてキーボード１７のベース２１の厚さ分だけ高くなっていても良い。キーボード１７の上にこぼされた液体は、ベース２１の上面２１ａを流れるので、第２の領域１４ｂがベース２１の上面２１ａと同じ高さ以下にあれば、こぼされた液体はベース２１の上面２１ａから第２の領域１４ｂに流れ込み自然と筐体６の側方へと排出されるので、液体の排出性が良い。
【００７３】
すなわちキーボード載置部１４の第２の領域１４ｂの底面２５ｂの高さがキーボード１７のベース２１の上面２１ａの高さと同じであっても、十分な液体排出効果を発揮することができる。なお第２の領域１４ｂの底面２５ｂの高さがベース２１の上面２１ａの高さに比べて低いと、液体の排出が促進されやすい。なお、以下に述べる全ての実施形態において、第２の領域１４ｂの底面２５ｂ高さは、第１の領域１４ａに載置されたキーボード１７のベース２１の上面２１ａの高さと同じでも良い。ただし、第２の領域１４ｂの底面２５ｂの高さがキーボード１７のベース２１の上面２１ａに比べて多少高くても、キーボード載置部１４の底面２５が例えば筐体側壁部８ｂ，８ｃまで延びていると、ある程度の液体の排出性は期待できる。
【００７４】
同様に、後端凹部８４ａ，８４ｂの底面８６の高さがキーボード１７のベース２１の上面２１ａの高さと同じであっても良い。すなわち、後端凹部８４ａ，８４ｂの底面８６が第１の領域１４ａの底面２５ａに比べてキーボード１７のベース２１の厚さ分だけ高くなっていても、後端凹部８４ａ，８４ｂは十分な液体排出効果を発揮することができる。なお本実施形態に係る後端凹部８４ａ，８４ｂは、高さの異なる三つの底面領域８６ａ，８６ｂ，８６ｃを有したが、後端凹部８４ａ，８４ｂは、筐体６の側部まで平らに延びていても良い。後端凹部８４ａ，８４ｂは、ヒンジ部１２ａ，１２ｂの下方とは別の領域に形成しても良い。例えばフレーム部材４１ａ、４１ｂは無くても良い。フレーム部材４１ａ、４１ｂが無くてもポータブルコンピュータ１はその防滴性能を発揮することができる。
【００７５】
次に、本発明の第２の実施形態に係る電子機器としてのポータブルコンピュータ１０１を、図１５および図１６を参照して説明する。なお第１の実施形態に係るポータブルコンピュータ１と同じ機能を有する構成は、同一の符号を付してその説明を省略する。ポータブルコンピュータ１０１は、フレーム部材１０２の形状が第１の実施形態に係るフレーム部材４１ａ、４１ｂと異なる。その他の形状についてはポータブルコンピュータ１と同じである。
【００７６】
図１５に本実施形態に係るフレーム部材１０２を示す。なお図１５に示すのは左フレーム部材であるが、右フレーム部材についても略同様の構成を有するのでその説明を省略する。  
フレーム部材１０２は、第１の部分４５と第２の部分４６とを有する。第１の部分４５は、天井壁部５１と、例えば複数の脚部１０３とを有する。天井壁部５１は、第２の領域１４ｂとの間に空隙を空ける。脚部１０３は、天井壁部５１から筐体６を向いて突出している。換言すれば、フレーム部材１０２は、脚部１０３と脚部１０３との間に形成される溝部１０４を有する。
【００７７】
フレーム部材１０２を筐体上壁７に取り付けると、脚部１０３の先端が第２の領域１４ｂの底面２５ｂに当接する。図１６に示すように、フレーム部材１０２を筐体上壁７に取り付けると、この溝部１０４がキーボード載置部１４の底面２５との間に空隙を形成する。キーボード載置部１４は、溝部１０４を通じて筐体６の側方に連通する。フレーム部材１０２の溝部１０４は、例えばキーボード１７のキー２２とキー２２との間の隙間に対向する位置に形成される。
【００７８】
このような構成のポータブルコンピュータ１０１によれば、防滴性の向上を図ることができる。すなわち、キーボード載置部１４が側壁部８ｂ，８ｃまで延びていると、キーボード１７の上にこぼされた液体は、キーボード載置部１４に溜まることなく、上壁７の縁から筐体６の側方へと排出される。したがって液体が筐体６内で漏れる可能性がほとんど無く、ポータブルコンピュータ１０１の防滴性を向上させることができる。
【００７９】
第２の領域１４ｂにフレーム部材１０２が取り付けられると、第１の実施形態と同様の理由でポータブルコンピュータ１０１の見栄えが向上する。フレーム部材１０２をキーボード載置部１４に取り付けたとしても、キーボード載置部１４の底面２５を流れる液体は溝部１０４を通じて筐体６の側方まで達することができる。すなわちフレーム部材１０２は、液体の排出性をほとんど損なわない。
【００８０】
フレーム部材１０２の溝部１０４が、キーボード１７のキー２２とキー２２との間の隙間に対向するように形成されていると、第１の実施形態と同様の理由で、液体の排出性が向上する。
【００８１】
なお左右フレーム部材の構成および形状は、キーボード１７から上壁７の縁を向いて流れる液体の流れを阻害しないものであれば、特定の構成および形状に限定されない。例えば、キーボード載置部１４の底面から突起を突出させ、板状に形成したフレーム部材を持ち上げて支持することで、フレーム部材とキーボード載置部の底面との間に空隙を形成しても良い。
【００８２】
次に、本発明の第３の実施形態に係る電子機器としてのポータブルコンピュータ１１１を、図１７および図１８を参照して説明する。なお第１の実施形態に係るポータブルコンピュータ１と同じ機能を有する構成は、同一の符号を付してその説明を省略する。ポータブルコンピュータ１１１は、第１の実施形態に係る左右フレーム部材４１ａ、４１ｂに代えて、筐体６と一体に形成されたフレーム部１１２を有する。その他の形状についてはポータブルコンピュータ１と同じである。
【００８３】
キーボード載置部１１３は、筐体上壁７に形成された底面１１３ａを有する。本実施形態に係るキーボード載置部１１３は、上壁７の左縁および右縁まで達していない。図１７，１８に示すように、キーボード載置部１１３と筐体６の左側壁部８ｂとの間およびキーボード載置部１１３と筐体６の右側壁部８ｃとの間には、フレーム部１１２が上方を向いて起立している。フレーム部１１２は、筐体上壁７と一体に成形されている。フレーム部１１２は、例えば水平方向に貫通する複数の孔１１４が開口している。
【００８４】
図１８に示すように、孔１１４は、キーボード載置部１１３の底面１１３ａの延伸方向に沿ってフレーム部１１２を貫通している。孔１１４の内周面の下端１１４ａの高さの一例は、キーボード載置部１１３に載置されたキーボード１７のベース２１の上面２１ａの高さに比べて同じか若しくは低い。本実施形態に係る孔１１４の下端１１４ａの高さは、例えばキーボード載置部１１３の底面１１３ａの高さと同じであり、キーボード載置部１１３に載置されたベース２１の上面２１ａに比べて低い。フレーム部１１２の孔１１４は、例えばキーボード１７のキー２２とキー２２との間の隙間に対向するように位置に形成されている。図１８に示すように、筐体６の側壁部８ｂには、冷却ファン６３に対向する排気孔６１が開口している。
【００８５】
このような構成のポータブルコンピュータ１１１によれば、防滴性の向上を図ることができる。すなわち、フレーム部１１２に孔１１４が開口していると、キーボード１７の上にこぼされた液体は、キーボード載置部１１３に溜まることなく、フレーム部１１２の孔１１４を通じて筐体６の側方へと排出される。したがって液体が筐体６内で漏れる可能性がほとんど無く、ポータブルコンピュータ１１１の防滴性を向上させることができる。
【００８６】
フレーム部１１２が形成されていると、キーボード１７、パームレスト部１６ａ，１６ｂ、タッチパッド部１５およびフレーム部１１２などで形成される本体２の上面の高さが略同じに揃う。これはポータブルコンピュータ１１１の見栄えを向上させる。
【００８７】
孔１１４の内周面の下端１１４の高さがキーボード１７のベース２１の上面２１ａの高さに比べて低いと、ベース２１の上にこぼされた液体が自然と筐体６の側方に排出される。なお、図１９に示すように孔１１４の下端１１４ａは、キーボード載置部１１３の底面１１３ａに比べて低くても良い。図２０に示すように孔１１４は、筐体６の外側に向かうに伴なって低くなるように傾斜していても良い。図１９または図２０に示すような孔１１４によれば、液体の排出性が向上する。ただし、孔１１４の下端１１４ａの高さがベース２１の上面２１ａの高さに比べて多少高くても、フレーム部１１２に孔１１４が形成されていると、ある程度の液体の排出性は期待できる。
【００８８】
フレーム部１１２の孔１１４は、キーボード１７のキー２２とキー２２との間の隙間に対向するように配置されていると、第１の実施形態に係るポータブルコンピュータ１と同様の理由で、液体の排出性が向上する。筐体６の側壁部８ｂには、冷却ファン６３に対向する排気孔６１が開口していると、第１の実施形態に係るポータブルコンピュータ１と同様の理由で防滴性が向上する。
【００８９】
次に、本発明の第４の実施形態に係る電子機器としてのポータブルコンピュータ１２１を、図２１および図２２を参照して説明する。なお第１の実施形態に係るポータブルコンピュータ１と同じ機能を有する構成は、同一の符号を付してその説明を省略する。ポータブルコンピュータ１２１は、左右フレーム部材４１ａ、４１ｂを有しない。
【００９０】
第４の実施形態に係るキーボード１２２の長手方向の幅は、筐体上壁７の長手方向の幅と略一致する。すなわちキーボード１２２をキーボード載置部１４に載置すると、キーボード１２２の縁が筐体６の左右側壁部８ｂ，８ｃに達する。
【００９１】
このような構成のポータブルコンピュータ１２１によれば、防滴性の向上を図ることができる。すなわち、キーボード載置部１４が側壁部８ｂ，８ｃまで延びていると、キーボード１２２の上にこぼされた液体は、キーボード載置部１４に溜まることなく、上壁７の縁から筐体６の側方へと排出される。したがって液体が筐体６内で漏れる可能性がほとんど無く、ポータブルコンピュータ１２１の防滴性を向上させることができる。
【００９２】
キーボード１２２の縁が筐体６の左右側壁部８ｂ，８ｃまで達していると、フレーム部材４１ａ、４１ｂまたはフレーム部１１２を設ける必要が無く、筐体６の形状を単純化することができる。これはポータブルコンピュータ１２１のコストダウンに寄与する。
【００９３】
次に、本発明の第５の実施形態に係る電子機器としてのポータブルコンピュータ１３１を、図２３および図２５を参照して説明する。なお第１の実施形態に係るポータブルコンピュータ１と同じ機能を有する構成は、同一の符号を付してその説明を省略する。
【００９４】
タッチパッド載置部１３２は、筐体上壁７に形成された底面１３２ａを有する。図２３および図２４に示すように、タッチパッド載置部１３２の底面１３２ａは、キーボード載置部１４の底面２５に連続するとともに、キーボード載置部１４の底面２５と同一面上に位置する。すなわちタッチパッド載置部１３２の底面１３２ａの高さは、キーボード載置部１４に載置されたキーボード１７のベース２１の上面２１ａの高さに比べて低く形成されている。なお、タッチパッド載置部１３２の底面１３２ａの高さがキーボード載置部１４に載置されたキーボード１７のベース２１の上面２１ａの高さと比べて同じか若しくは低いと、ポータブルコンピュータ１３１の防滴性が向上する。
【００９５】
タッチパッド載置部１３２の底面１３２ａは、キーボード載置部１４の前縁から筐体６の前側壁部８ａまで延びている。タッチパッド載置部１３２の底面１３２ａからは、例えば複数のリブ１３３が上方を向いて起立している。リブ１３３は、キーボード載置部１４から筐体６の前側壁部８ａを向く方向に沿って延びている。
【００９６】
図２４に示すように、リブ１３３にはタッチパッドユニット３３が取り付けられる。タッチパッドユニット３３は、ポインティングディバイスの一種であるタッチパッド１３４と、クリックスイッチが実装されたスイッチ基板部１３５とを有する。タッチパッドカバー１３６は、タッチパッドユニット３３を覆うようにしてタッチパッド載置部１３２に取り付けられる。タッチパッドカバー１３６には、スイッチ基板部１３５に対向する押しボタン１３７が取り付けられている。
【００９７】
図２３および図２４に示すように、タッチパッドカバー１３６は、後端部に第１の側壁部５２を有するとともに、前端部に第２の側壁部５３を有する。第１の側壁部５２には、切欠き５２ａが形成されている。第２の側壁部５３には切欠き５３ａが形成されている。これにより、タッチパッドカバー１３６がタッチパッド載置部１３２に取り付けられると、タッチパッドカバー１３６とタッチパッド載置部１３２の底面１３２ａとの間には流路として機能する空隙が形成される。
【００９８】
図２３および図２５に示すように、パームレスト部材１４１，１４１は、筐体６とは別体に形成されている。筐体上壁７には、一対のパームレスト載置部１４２，１４２の底面１４２ａ形成されている。パームレスト載置部１４２の底面１４２ａは、キーボード載置部１４の底面２５に連続するとともに、キーボード載置部１４の底面２５と同一面上に位置する。すなわちパームレスト載置部１４２の底面１４２ａの高さは、キーボード載置部１４に載置されたキーボード１７のベース２１の上面２１ａの高さに比べて低く形成されている。なお、パームレスト載置部１４２の底面１４２ａの高さがキーボード１７のベース２１の上面２１ａの高さと比べて同じか若しくは低いと、ポータブルコンピュータ１３１の防滴性が向上する。パームレスト載置部１４２の底面１４２ａは、キーボード載置部１４の前縁から筐体６の前側壁部８ａまで延びている。
【００９９】
図２５に示すように、パームレスト載置部１４２にはパームレスト部材１４１が取り付けられる。パームレスト部材１４１は、後端部に第１の側壁部５２を有するとともに、前端部に第２の側壁部５３を有する。第１の側壁部５２には、切欠き５２ａが形成されている。第２の側壁部５３には切欠き５３ａが形成されている。これにより、パームレスト部材１４１がパームレスト載置部１４２に取り付けられると、パームレスト部材１４１とパームレスト載置部１４２の底面１４２ａとの間には流路として機能する空隙が形成される。タッチパッドカバー１３６の切欠き５２ａ，５３ａおよびパームレスト部材１４１の切欠き５２ａ，５３ａは、それぞれキーボード１７のキー２２とキー２２との間の隙間に対向した位置に形成される。
【０１００】
ポータブルコンピュータ１３１の一例は、ポータブルコンピュータ１３１を設置面Ｆに載置すると、本体２の前端部がその後端部に比べて低くなるように形成されている。すなわちポータブルコンピュータ１３１を設置面Ｆに載置すると、キーボード載置部１４からタッチパッド載置部１３２およびパームレスト載置部１４２に向かうに伴って底面２５，１３２ａ，１４２ａが低くなるように傾斜している。
【０１０１】
このような構成のポータブルコンピュータ１３１によれば、防滴性の向上を図ることができる。すなわち、キーボード載置部１４が側壁部８ｂ，８ｃまで延びていると、キーボード１７の上にこぼされた液体は、キーボード載置部１４に溜まることなく、上壁７の縁から筐体６の側方へと排出される。したがって液体が筐体６内で漏れる可能性がほとんど無く、ポータブルコンピュータ１３１の防滴性を向上させることができる。
【０１０２】
さらにタッチパッド載置部１３２の底面１３２ａとパームレスト載置部１４２の底面１４２ａとがキーボード載置部１４の底面２５に連続するとともに筐体側壁部８ａまで延びていると、キーボード１７の上にこぼされた液体が、タッチパッド載置部１３２およびパームレスト載置部１４２を通って筐体６の側方（さらに言えば側方の一つである前方）に排出される。これは液体の排出経路を多様化し、液体の排出性を向上させる。
【０１０３】
さらにタッチパッドカバー１３６とパームレスト部材１４１が切欠き５２ａ，５３ａを有すると、例えタッチパッドカバー１３６やパームレスト部材１４１を筐体上壁７に取り付けたとしても、液体の排出性をあまり損なわない。
【０１０４】
例えばキーボード載置部１４が前下がりに傾斜するようなポータブルコンピュータ１３１においては、キーボード載置部１４の前方に位置するタッチパッド載置部１３２の底面１３２ａおよびパームレスト載置部１４２の底面１４２ａをキーボード載置部１４の底面２５に連続させることは、液体の排出性を大きく向上させる。
【０１０５】
なお、タッチパッド載置部１３２およびパームレスト載置部１４２のどちらか一方だけに流路を形成しても良い。また、ポータブルコンピュータ１３１は、必ずしも前下がりに傾斜するように形成されていなくても良い。タッチパッド載置部１３２またはパームレスト載置部１４２に流路を有するポータブルコンピュータ１３１によれば、こぼされた液体の排出経路が多様化するので液体の排出性が向上する。
【０１０６】
次に、本発明の第６の実施形態に係る電子機器としてのポータブルコンピュータ１５１を、図２６および図２７を参照して説明する。なお第１の実施形態に係るポータブルコンピュータ１と同じ機能を有する構成は、同一の符号を付してその説明を省略する。
【０１０７】
図２６に示すように、ポータブルコンピュータ１５１は、このポータブルコンピュータ１５１を設置面Ｆに載置すると、本体２の前端部がその後端部に比べて低くなるように形成されている。すなわちポータブルコンピュータ１５１を設置面Ｆに載置すると、キーボード載置部１４の前端部がその後端部に比べて低くなるように傾斜している。
【０１０８】
図２７に示すように、キーボード載置部１４の前端部に対向する左右フレーム部材４１ａ、４１ｂの領域には、切欠き１５２，１５３が形成されている。切欠き１５２，１５３は、左右フレーム部材４１ａ，４１ｂに形成される他の切欠き５２ａ，５３ａに比べて大きく開口している。
【０１０９】
このような構成のポータブルコンピュータ１５１によれば、防滴性の向上を図ることができる。すなわち、キーボード載置部１４が側壁部８ｂ，８ｃまで延びていると、キーボード１７の上にこぼされた液体は、キーボード載置部１４に溜まることなく、上壁７の縁から筐体６の側方へと排出される。したがって液体が筐体６内で漏れる可能性がほとんど無く、ポータブルコンピュータ１５１の防滴性を向上させることができる。
【０１１０】
例えばキーボード載置部１４が前下がりに傾斜するようなポータブルコンピュータ１５１においては、キーボード１７の上にこぼされた液体がキーボード載置部１４の前端部に流れ込み、キーボード載置部１４の前端部に溜まろうとする。このキーボード載置部１４の前端部に対応する領域に大きな切欠き１５２，１５３を有すると、キーボード載置部１４の前端部に集まった液体が効率良く筐体６の側方に排出される。これは液体の排出性を向上させ、ポータブルコンピュータ１５１の防滴性の向上に寄与する。
【０１１１】
以上、第１ないし第６の実施形態に係るポータブルコンピュータ１，１０１，１１１，１２１，１３１，１５１について説明したが、本発明はもちろんこれらに限定されるものではない。第１ないし第６の実施形態に係る各構成要素は、適宜組み合わせて適用することができる。
【図面の簡単な説明】
【０１１２】
【図１】本発明の第１の実施形態に係るポータブルコンピュータの斜視図。
【図２】第１の実施形態に係るポータブルコンピュータを分解して示す斜視図。
【図３】第１の実施形態に係るポータブルコンピュータを分解して示す他の斜視図。
【図４】第１の実施形態に係るフレーム部材の斜視図。
【図５】第１の実施形態に係るポータブルコンピュータを一部断面で示す平面図。
【図６】第１の実施形態に係るポータブルコンピュータの側面図。
【図７】図５中に示されたポータブルコンピュータのＦ７−Ｆ７線に沿う断面図。
【図８】第１の実施形態に係る別のフレーム部材の斜視図。
【図９】図１中に示されたポータブルコンピュータのＦ９−Ｆ９線に沿う断面図。
【図１０】図１中に示されたポータブルコンピュータのＦ１０−Ｆ１０線に沿う断面図。
【図１１】図１中に示されたポータブルコンピュータのＦ１１−Ｆ１１線に沿う断面図。
【図１２】第１の実施形態に係るポータブルコンピュータの作用を模式的に示す図。
【図１３】第１の実施形態に係るポータブルコンピュータの断面図。
【図１４】第１の実施形態に係るポータブルコンピュータの変形例の断面図。
【図１５】本発明の第２の実施形態に係るフレーム部材の斜視図。
【図１６】第２の実施形態に係るポータブルコンピュータを一部断面で示す平面図。
【図１７】本発明の第３の実施形態に係るポータブルコンピュータの斜視図。
【図１８】第３の実施形態に係るポータブルコンピュータの断面図。
【図１９】第３の実施形態に係るポータブルコンピュータの変形例の断面図。
【図２０】第３の実施形態に係るポータブルコンピュータの他の変形例の断面図。
【図２１】本発明の第４の実施形態に係るポータブルコンピュータの斜視図。
【図２２】第４の実施形態に係るポータブルコンピュータを一部分解して示す斜視図。
【図２３】本発明の第５の実施形態に係るポータブルコンピュータの斜視図。
【図２４】第５の実施形態に係るタッチパッド載置部回りの断面図。
【図２５】第５の実施形態に係るパームレスト部材回りの断面図。
【図２６】本発明の第６の実施形態に係るポータブルコンピュータの側面図。
【図２７】第６の実施形態に係るポータブルコンピュータを一部断面で示す平面図。
【符号の説明】
【０１１３】
１，１０１，１１１，１２１，１３１，１４１，１５１…ポータブルコンピュータ、６…筐体、７…上壁、８ａ〜８ｄ…側壁部、１２ａ，１２ｂ…ヒンジ部、１３…隆起部、１４，１１３…キーボード載置部、１４ａ…第１の領域、１４ｂ…第２の領域、１７，１２２…キーボード、２１…ベース、２２…キー、２５…キーボード載置部の底面、３３…タッチパッドユニット、４１ａ，４１ｂ，１０２…フレーム部材、４３…キーボードホルダ、４５…第１の部分、４６…第２の部分、５２ａ，５２ｂ，１５２，１５３…切欠き、６１…排気孔、６３…冷却ファン、６５ａ，６５ｂ…凹部、８４ａ，８４ｂ…後端凹部、８６…後端凹部の底面、１１２…フレーム部、１１４…孔、１３２…タッチパッド載置部、１４１…パームレスト部材、１４２…パームレスト載置部。
【図１】
2008027137.tif 000003
【図２】
2008027137.tif 000004
【図３】
2008027137.tif 000005
【図４】
2008027137.tif 000006
【図５】
2008027137.tif 000007
【図６】
2008027137.tif 000008
【図７】
2008027137.tif 000009
【図８】
2008027137.tif 000010
【図９】
2008027137.tif 000011
【図１０】
2008027137.tif 000012
【図１１】
2008027137.tif 000013
【図１２】
2008027137.tif 000014
【図１３】
2008027137.tif 000015
【図１４】
2008027137.tif 000016
【図１５】
2008027137.tif 000017
【図１６】
2008027137.tif 000018
【図１７】
2008027137.tif 000019
【図１８】
2008027137.tif 000020
【図１９】
2008027137.tif 000021
【図２０】
2008027137.tif 000022
【図２１】
2008027137.tif 000023
【図２２】
2008027137.tif 000024
【図２３】
2008027137.tif 000025
【図２４】
2008027137.tif 000026
【図２５】
2008027137.tif 000027
【図２６】
2008027137.tif 000028
【図２７】
2008027137.tif 000029